(57)【要約】【課題】ナースカートで運搬される物品収納トレーを多段に装架するキャビネットにおいて、下段側の物品収納トレーにホコリが侵入することを、物品収納トレーの扱いの容易性を損なうことなく防止する。【解決手段】キャビネット本体１のうち下段側に、物品収納トレー２を手前から覆う扉７を配置している。扉７は下端を中心にして回動する方式であり、扉７の開き動に伴って物品収納トレー２が前進する。扉７を開ききったら、物品収納トレー２は人によって引き出される。【選択図】図４
2019115514.tif 000002
【特許請求の範囲】
【請求項１】
前向きに開口したキャビネット本体と、前記キャビネット本体の内部に抜き差し自在に格納できる物品収納トレーとを有しており、前記キャビネット本体に、前記物品収納トレーを格納する装架部が多段に形成されている構成であって、
前記キャビネット本体に、最下段側の１段又は複数段の物品収納トレーを手前から覆う扉が開閉自在に配置されている、
キャビネット。
【請求項２】
前記扉は、下端側の複数段の物品収納トレーに対応して複数段に配置されている、
請求項１に記載したキャビネット。
【請求項３】
前記扉は、下端部を中心にして下向き回動して開く方式であり、前記扉の開き回動に連動して前記物品収納トレーを部分的に前進させる連動手段が設けられている、
請求項１又は２に記載したキャビネット。
【請求項４】
前記連動手段は、前記扉の開閉に連動して回動するリンク杆と、前記扉が開き動すると前記リンク杆を介して前進動するスライダとを有しており、前記スライダの前進動によって前記物品収納トレーが前進動するようになっている、
請求項３に記載したキャビネット。
【請求項５】
前記物品収納トレーは、医療・介護行為に使用する物品の収納に使用されるものであり、移動自在なカートと前記キャビネット本体との両方に抜き差し自在に格納できるようになっている、
請求項１〜４のうちのいずれかに記載したキャビネット。
【発明の詳細な説明】
【技術分野】
【０００１】
本願発明は、医療施設などで使用するのに好適なキャビネットに関するものである。
【背景技術】
【０００２】
医療施設では、薬剤などの医療用物品を物品収納トレーに収容して保管したり移動したりしており、そこで、物品収納トレーを多段に装架できるキャビネット（例えば特許文献１参照）が使用されている。キャビネットから抜き外された物品収納トレーは、ナースカートと呼ばれている運搬用台車（例えば特許文献２参照）に格納して運搬されている。物品収納トレーの左右側縁（或いは全周）にはフランジを設けており、キャビネット及びナースカートには、物品収納トレーのフランジが載るレールを多段に形成している。
【先行技術文献】
【特許文献】
【０００３】
【特許文献１】特許第３５０６４７８号公報
【特許文献２】特開２０１４−１８１４６号公報
【発明の概要】
【発明が解決しようとする課題】
【０００４】
さて、医療機関では清潔な環境が必要であり、医療機器や医療用品類にホコリやゴミが付着することは防止されねばならない。そこで、認証制度を設けて、ホコリ対策などをクリアーして清潔な環境を維持できる施設については、基準を満たしていることを認証することにより、医療施設の環境改善を推進している。
【０００５】
そして、医療機関でのホコリ対策は、物品収納トレー及びこれに収容した物品も対象になるが、物品収納トレーはキャビネットとナースカートとに自在に移しかえ自在であることから、キャビネットには手前に露出した状態で格納されており、このため、床面に近い下側の物品収納トレーにホコリが侵入しやすいという問題があった。具体的には、床から３０ｃｍ程度までの高さに配置された物品収納トレーでは、ホコリが侵入しやすくなっていると云える。
【０００６】
この点については、下段側の１段又は複数段の物品収納トレーのみに前板を取り付けることにより、下段の隙間の発生を防止することが行われているが、物品収納トレーに前板が取付けられていると、医療現場等で物品収納トレーをナースカートから取り外して、物品収納トレーから物品を出し入れしたり医療行為を行ったりするに際して、前板が作業の邪魔になりやすいという問題があった。
【０００７】
本願発明は、このような現状を改善すべく成されたものである。
【課題を解決するための手段】
【０００８】
本願発明は様々な構成を含んでおり、その典型を各請求項で特定している。このうち請求項１の発明に係るキャビネットは、
「前向きに開口したキャビネット本体と、前記キャビネット本体の内部に抜き差し自在に格納できる物品収納トレーとを有しており、前記キャビネット本体に、前記物品収納トレーを格納する装架部が多段に形成されている構成であって、
前記キャビネット本体に、最下段の物品収納トレー又は下端側の複数段の物品収納トレーを手前から覆う扉が開閉自在に配置されている」
という構成になっている。
【０００９】
本願発明において、どの程度の高さまで扉を設けるかは、キャビネットが使用される環境などに応じて設定したらよいが、上記のとおり床から３０ｃｍ程度の高さではホコリが舞い上がりやすいので、少なくとも３０ｃｍ程度の高さに配置するのが好ましい（余裕を考慮すると、３０〜５０ｃｍ程度でよいと思われる）。
【００１０】
請求項１の展開例として、請求項２では、
「前記扉は、下端側の複数段の物品収納トレーに対応して複数段に配置されている」
という構成になっている。
【００１１】
また、請求項３では、請求項１又は２において、
「前記扉は、下端部を中心にして下向き回動して開く方式であり、前記扉の開き回動に連動して前記物品収納トレーを部分的に前進させる連動手段が設けられている」
という構成になっている。
【００１２】
請求項３の連動機構は様々な構造を採用できるが、請求項４では、
「前記連動手段は、前記扉の開閉に連動して回動するリンク杆と、前記扉が開き動すると前記リンク杆を介して前進動するスライダとを有しており、前記スライダの前進動によって前記物品収納トレーが前進動するようになっている」
という構成になっている。
【００１３】
請求項５では、請求項１〜４のうちのいずれかにおいて、
「前記物品収納トレーは、医療・介護行為に使用する物品の収納に使用されるものであり、移動自在なカートと前記キャビネット本体との両方に抜き差し自在に格納できるようになっている、」
という構成になっている。
【００１４】
なお、扉は、全体又は大部分を透明板で構成することが可能であり、この場合は、目的とする物品収納トレーを即座に視認できると共に、扉を閉じた状態のままでバーコード等の管理標識をスキャニングすることなども可能になり、何かと便利である。
【発明の効果】
【００１５】
本願発明では、床に近い下段部の物品収納トレーは扉で手前から覆われているため、床でホコリが立ちのぼってもキャビネットの内部に入り込むことはなく、物品収納トレー及びこれに収納した物品を清潔な状態に保つことができる。従って、請求項５のように医療機関用のキャビネットとして使用すると、院内での防塵環境を向上させて高評価の要因に成り得る。また、地震等に際して物品収納トレーが飛び出することも防止できる。
【００１６】
複数段の物品収納トレーについてホコリ対策が必要である場合、１つの扉で複数の物品収納トレーを覆うことも可能であるが、この場合は、扉の面積が大きくなるため、開閉に手間が掛かったり、開いた状態で邪魔になったりすることが予想される。
【００１７】
これに対して請求項２のように、個別の物品収納トレーに扉を配置すると、扉が過剰に大きくなることはないため、開閉の手間を軽減できると共に、開いたままであっても大して邪魔になることもない。従って、現実的である。
【００１８】
扉の開閉と物品収納トレーの前後動とを独立させて、扉を開いてから物品収納トレーを引き出すように構成することも可能であるが、請求項３のように連動手段を設けて、扉の開き動に連動して物品収納トレーを部分的に前進させると、物品収納トレーの引出しを容易に行える利点がある。
【００１９】
連動手段としては、ラックとピニオンを利用した機構など、様々な構造を採用できるが、請求項４のようにリンク杆とスライダとを利用すると、簡単な構造で物品収納トレーを確実に引き出すことができる。従って、信頼性・現実性に優れている。
【図面の簡単な説明】
【００２０】
【図１】第１実施形態を示す図で、（Ａ）は全体の概略斜視図、（Ｂ）は物品収納トレーの部分斜視図、（Ｃ）は扉の部分斜視図である。
【図２】扉を仮想線で表示したキャビネットの部分的な正面図である。
【図３】分離斜視図である（部材の向きは一定してはいない。）。
【図４】図２の IV-IV視断面図である。
【図５】図４の部分拡大図である。
【図６】（Ａ）は図５と同じ箇所から見た開扉状態の側面図、（Ｂ）（Ｃ）は作用を示す図である。
【図７】（Ａ）はスライダの構造を示す分離斜視図、（Ｂ）は別例の模式的な側面図である。
【図８】他の実施形態を示す模式的な側面図である。
【発明を実施するための形態】
【００２１】
(1).第１実施形態の概要
次に、本願発明の実施形態を図面に基づいて説明する。本実施形態は、医療品用キャビネットに適用している。図１（Ａ）に示すように、キャビネットは、左右側板と背板と天板とを有して前向きに開口したキャビネット本体１を備えており、キャビネット本体１の内部に、物品収納トレー２を多段に装架できるようになっている。
【００２２】
物品収納トレー２は合成樹脂製であり、図１（Ｂ）に部分的に示すように、四周の上端縁にフランジ３を一体に形成している。他方、キャビネット本体１の左右側部は外側板４と内側板５との二重構造になっており、内側板５に、物品収納トレー２のサイドフランジ３が載るレール部６（或いは溝）を多段に形成している。
【００２３】
物品収納トレー２は、高さ（或いは深さ）が相違する高、中、低の３種類が用意されている。高・中・低の３種類の物品収納トレー２の高さの関係は、高は低の３倍、中は低の２倍になっている。そこで、内側板５におけるレール６の上下ピッチを、最も低い物品収納トレー２の高さに揃えている。従って、いずれの高さの物品収納トレー２も、キャビネット本体１に格納することができる（但し、下側２段は高い物品収納トレー２の専用になっている。）。
【００２４】
上記のとおり、下から１段目と２段目の物品収納トレー２は高さが最も高いものであるが、これら下側下２段の物品収納トレー２に対応した箇所では、当該高さが高い物品収納トレー２の専用になっており、レール部６は２段ずつしか形成されていない。そして、キャビネット本体１には、下側の２段の物品収納トレー２を個別に覆う２段の扉７が配置されている。図１及び図４に示すように、下段の扉７の下方には下框板１ａを配置している。なお、キャビネット本体１に底板を設けてもよい。
【００２５】
扉７は厚板状に形成されており、図１（Ｃ）に示すように、上端部のうち左右中間部に後ろ向きの凹所を抉り形成することにより、人が指を掛けて引く引手部７ａを形成している。なお、扉７は、スチール板などを板金加工して製造するここともできる。或いは、スチール製のフレームに透明板を取付けた構造なども採用可能である。
【００２６】
図４に示すように、キャビネット本体１の内側板５は外側板４の前端よりも少し後ろに配置されており、扉７は、左右の外側板４の間の空間に入り込んでいる。そして、扉７は、その下端部を中心にして水平な軸心回りに回動するように配置されており、扉７の開き回動に連動して物品収納トレー２が前進するようになっている。
【００２７】
(2).扉７と物品収納トレー２との連動構造
図３に明瞭に示すように、キャビネット本体１の内側板のうち扉７の下端部に対応した部位には、凸形の蟻溝８が前後全長に亙って形成されており、この蟻溝８の前部に扉支持体９を嵌め入れて、左右扉支持体９に、扉７が左右横長姿勢のピン（ビス）１０によって回動自在に連結されている。扉支持体９は、図示しないビス等によって蟻溝８に固定されている。
【００２８】
蟻溝８には、スライダ１１が前後動自在に嵌め入れてられており、スライダ１１の前部と扉７の左右側部の上端部とが、連動手段を構成するリンク杆１２を介して相対動可能に連結されている。従って、リンク杆１２は、後ろに行くに従って低くなるように傾斜している。リンク１２は、左右横長のピン（ビス）１３によってスライダ１１及び扉７に連結されているが、扉７の上部にはブラケット１４を突設して、リンク杆１２の上端部はブラケット１４に連結している。
【００２９】
図７（Ａ）に明瞭に示すように、スライダ１１のうちリンク杆１２との連結部よりも後ろの部位に、連動手段の構成要素として、物品収納トレー２を前進動させるためのストッパー１５を装着している。ストッパー１５はブロック状に形成されており、スライダ１１に切り開き形成したガイド溝１６に嵌め入れられている。
【００３０】
そして、ストッパー１５には、上下長手の長穴１７が左右に開口するように形成されており、長穴１７に外側から挿通したビス１８をスライダ１１にねじ込むことにより、ストッパー１５を上下動自在で抜け不能に保持している。なお、図４〜６では、部材の形状の理解を容易にするため、本来は見えない線を実線で表示するなどしており、部材の輪郭を表す線がクロスしている部分もある。
【００３１】
長穴１７には、ビス１８の上に位置した弾性体（例えばゴム、図示せず）を嵌め入れており、ストッパー１５を上向きに付勢している。従って、ストッパー１５は、弾性体を圧縮変形させて下降動することができる。
【００３２】
ストッパー１５は、スライダ１１の左右内側にはみ出しており、このはみ出した部分に係合突起１９を上向きに突設している一方、スライダ１１からはみ出していない部分に、ガイド突起２０を上向きに突設している。係合突起１９は、前面を鉛直面とした側面視三角形になっている一方、ガイド突起２０は、前面を後ろに向けて高くなる傾斜面２０ａとした側面視台形状になっている（側面視三角形でもよい。）。
【００３３】
そして、物品収納トレー２の左右側部の下面に、キャビネット本体１に押し込みきった状態で係合部１９が下方から入り込む係合凹所２１を形成しており、係合突起１９が係合凹所２１に引っ掛かることにより、スライダ１１が前進すると物品収納トレー２は一緒に前進する。
【００３４】
他方、図５，６に示すように、キャビネット本体１の内側板５のうち蟻溝８の直上部に、スライダ１１の前進動ストロークの途中でガイド突起２０に上から当たる下降ガイド体２２を固定している。下降ガイド体２２の後面は、後ろに向けて高くなる傾斜面２２ａになっており、スライダ１１が前進してきてストッパー１５のガイド突起２０が下降ガイド体２２に当たると、ストッパー１５は下方に逃げ移動して、係合突起１９が物品収納トレー２の係合凹所２１から下方に離脱する。
【００３５】
従って、扉７の開き動の途中において物品収納トレー２の前進動が停止し、扉７が開ききると、図６（Ａ）のとおり、ストッパー１５と係合凹所２１との間には間隔が空いている。また、物品収納トレー２の前進動が停止した後は、ストッパー１５の係合突起１９と物品収納トレー２の係合凹所２１とは係合解除されているので、扉７が水平姿勢まで開ききったら、人は物品収納トレー２を手前に引き出すことができる。物品収納トレー２を格納する場合は、単に、フランジ３をレール部６に載せて押し込んだらよい。
【００３６】
物品収納トレー２は、図示しない位置決め手段によって押し込み位置が規定されており、物品収納トレー２を格納してから扉７を閉じると、その途中でストッパー１５が上昇しようとするが、ストッパー１５の係合突起１９は物品収納トレー２の下面に当接していて上昇できず、スライダ１１を押し込みきると、係合突起１９が物品収納トレー２の係合凹所２１に嵌まり込む。
【００３７】
スライダ１１が後退しきる前にガイド体２２はストッパー１５から離脱するため、係合凹所２１が物品収納トレー２の下面に当たった状態で後退動する状態（係合突起１９が物品収納トレー２の下面を滑り移動する状態）があるが、傾向突起１９の後面は傾斜面になっているため、スライダ１１の後退動がスムースに行われる。
【００３８】
床の近くではホコリが舞い上がりやすいため、下部側の２段程度の物品収納トレー２ではホコリ対策が問題になるが、本実施形態では、下側の２段の物品収納トレー２はキャビネットに格納した状態で手前から扉７で覆われているため、ホコリが物品収納トレー２及びこれに収納した物品に付着することはない。従って、医療用品を清潔な状態に維持して、院内の防塵環境の向上に貢献できる。扉７の段数は、必要に応じて任意に設定できる。
(3).他の実施形態・その他
図７（Ｂ）に示す第２実施形態では、スライダ１１に前後２つのコロ２４を設けて、コロ２４を蟻溝８（或いはガイドレール）に転動自在に嵌め入れている。そして、スライダ１１の後端に物品収納トレー２を手前に引く突起２５を設けている一方、蟻溝８を、スライダ１１の前進途中で下降動するように高さ違いに形成して、高い部分と低い部分とは傾斜を介して滑らかに連続させている。
【００３９】
この実施形態では、スライダ１１自体が昇降するため、第１実施形態のような上下動式のストッパー１５は不要である。従って、構造は第２実施形態の方が第１実施形態よりも簡単になっている。また、第２実施形態は、物品収納トレー２には特段の加工を施す必要がない点でも有益である。
【００４０】
図８（Ａ）に示す第３実施形態では、下側の２段の物品収納トレー２を１枚の扉７で塞いでいる。３段以上の物品収納トレー２を１枚の扉７で塞ぐことも可能である。或いは、複数枚の扉７を上下に配置し、少なくとも１枚の扉７で上下複数段の物品収納トレー２を覆うことも可能である。図８（Ｂ）に示す第４実施形態では、扉７は上下昇降式になっている。
【００４１】
図８（Ａ）のように扉を下向き回動するように構成した場合、扉７の上端と物品収納トレー２の前端部上端縁とを略同じ高さに設定しておいて、物品収納トレー２の前端部上端縁に指先を掛けて手前に引くことにより、物品収納トレー２の引出しと扉７の開き動とを一緒に行えるようにすることも可能である。
【００４２】
複数の扉７を上下に配置している場合、上下に隣り合った扉の間に、指先を挿入できる隙間を空けておくと、各段において扉７の開き回動と物品収納トレー２の引出しとを同時に行える。また、上下に隣り合った扉を、基本的に殆ど隙間がないように配置しつつ、上段に位置した扉の下端部のうち左右中間部を部分的に切欠いて指掛け穴を形成し、指掛け穴に差し入れた指先を物品収納トレー２の前部上端縁に掛けるようにすることも可能である。
【００４３】
以上、本願発明の実施形態を説明したが、本願発明は他にも様々に具体化できる。例えば、キャビネット本体１を構成する左右側板の内側面に前後長手のレール部材を取り付けて、レール部材の前端部に扉７を回動自在に連結すると共に、レール部材にスライダ１１を装着することが可能である。
【産業上の利用可能性】
【００４４】
本願発明は、キャビネットに具体化できる。従って、産業上利用できる。
【符号の説明】
【００４５】
１  キャビネット本体
２  物品収納トレー
３  フランジ
４  外側板
５  内側板
６  レール部
７  扉
８  蟻溝
９  扉支持体
１１  スライダ
１２  リンク杆
１５  ストッパー
１９  係合突起
２０  ガイド突起
２１  係合凹所
２２  ガイド体
【図１】
2019115514.tif 000003
【図２】
2019115514.tif 000004
【図３】
2019115514.tif 000005
【図４】
2019115514.tif 000006
【図５】
2019115514.tif 000007
【図６】
2019115514.tif 000008
【図７】
2019115514.tif 000009
【図８】
2019115514.tif 000010